(57)【要約】      （修正有）【課題】空気中の成分による発光素子の発光効率の低下を抑制することにより、長期にわたり発光素子の発光効率を良好に維持することが可能な照明装置を提供する。【解決手段】ＬＥＤ実装基板６と、導光板８と、導光板８の周縁部８１を被覆してＬＥＤ実装基板６と導光板８とを内部空間に収納する収納ケースとを備えるように照明ユニット４５を構成する。収納ケースは放熱板５と前面カバー１０とで構成する。発光素子６１の雰囲気と照明ユニット４５外の雰囲気との連通経路を閉塞するように第１封止部材Ｓ３、第２封止部材Ｓ２、第３封止部材（充填樹脂）を用いる。これにより発光素子６１の雰囲気を気密保持する。【選択図】図３
2014086403.tif 000002
【特許請求の範囲】
【請求項１】
発光素子が実装されてなる実装基板と、前記実装基板を収納する収納ケースとを有する照明装置であって、
前記収納ケース内の前記発光素子の雰囲気と前記収納ケース外の雰囲気との連通経路を閉塞する封止部材を有することにより、前記収納ケース内の前記発光素子の雰囲気が気密保持されている
照明装置。
【請求項２】
前記発光素子は、素子本体と、前記素子本体を被覆するように配された封止樹脂とを有し、
前記封止部材は、硫黄化合物及び窒素化合物の少なくともいずれかに対し、前記封止樹脂よりも高い封止性を有する
請求項１に記載の照明装置。
【請求項３】
前記発光素子は、銀を含んでなる反射面を備え且つ前記素子本体からの発光を反射するための反射部材を有し、
前記封止樹脂が前記反射面を被覆するように配されている
請求項２に記載の照明装置。
【請求項４】
前記収納ケース内に収納されるとともに前記実装基板の表面に沿って配置され、前記発光素子の出射光を導光する導光板を有し、
前記導光板は、主面部と、前記主面部を囲繞する周縁部とを有し、
前記収納ケースは、前記導光板の前記周縁部を被覆し、
前記封止部材は、前記導光板の前記周縁部とこれに対向する前記収納ケースとの間を気密保持するように配された第１封止部材を含む
請求項１〜３のいずれかに記載の照明装置。
【請求項５】
前記導光板は円盤状であり、
前記導光板の前記周縁部は、前記実装基板との対向面と反対側の面において厚みが縁辺に向かって減少する断面形状を有し、
前記第１封止部材は、前記周縁部の全周にわたり配された環状部材である
請求項４に記載の照明装置。
【請求項６】
前記第１の封止部材はパッキンまたはガスケットのいずれかである
請求項５に記載の照明装置。
【請求項７】
前記第１の封止部材は充填材料である
請求項５に記載の照明装置。
【請求項８】
前記収納ケースは、前記実装基板の厚み方向において互いに組み合わされた第１のケース部材と第２のケース部材とを有し、
前記封止部材は、前記第１のケース部材と前記第２のケース部材との当接部分を気密保持するように配された第２封止部材を含む
請求項１〜７のいずれかに記載の照明装置。
【請求項９】
前記第１ケース部材は放熱板を兼ね、
前記第２ケース部材は前記導光板の前記周縁部を被覆する領域を有する
請求項８に記載の照明装置。
【請求項１０】
前記第２封止部材はパッキンまたはガスケットのいずれかである
請求項８または９に記載の照明装置。
【請求項１１】
前記第２封止部材は充填材料である
請求項８または９に記載の照明装置。
【請求項１２】
前記実装基板は外部に向けて接続された配線を有し、
前記収納ケースは前記配線を外部延出させる露出部を有し、
前記封止部材は前記露出部と前記配線との間を気密保持するように配された第３封止部材を含む
請求項１〜１１のいずれかに記載の照明装置。
【請求項１３】
前記第３封止部材は充填材料からなる
請求項１２に記載の照明装置。
【請求項１４】
前記充填材料は、熱硬化性樹脂材料、エネルギー線硬化性樹脂材料、シリコーン樹脂材料、エポキシ樹脂材料、エラストマー材料の少なくともいずれかを含んでなる
請求項７、１１、１３のいずれかに記載の照明装置。
【請求項１５】
前記収納ケース内に収納されるとともに前記実装基板の表面に沿って配置され、前記発光素子の出射光を導光する導光板と、
前記導光板の表面に積層され、前記収納ケースと前記導光板との間に介設された拡散板とを有し、
前記拡散板はエラストマー材料で構成され且つ前記導光板と前記外装ケースとに密着していることにより、前記導光板と前記外装ケースとの間が気密に保たれている
請求項１に記載の照明装置。
【請求項１６】
前記収納ケースを収納する被覆部材と、
台座部と、
前記台座部に立設され且つ前記被覆部材を支持するアーム部とを有する
請求項１〜１５のいずれかに記載する照明装置。
【発明の詳細な説明】
【技術分野】
【０００１】
本発明はＬＥＤを光源とする照明装置に関する。本発明は特にＬＥＤの発光効率を維持する技術に関する。
【背景技術】
【０００２】
近年、ＬＥＤ素子等の発光素子を照明用光源とするＬＥＤ照明装置が普及している（特許文献１）。
図８は、従来のデスクスタンド型のＬＥＤ照明装置１ｘの構成例を示す外観構成図である。ＬＥＤ照明装置１ｘは、台座部２ｘと、台座部２ｘに立設されたアーム部３ｘと、アーム部３ｘの一端に取着された照明部４ｘとを有する。照明部４ｘは、複数の発光素子のＬＥＤ素子を表面に実装してなるＬＥＤ実装基板（不図示）を内蔵する。
【０００３】
図９は、照明用の光源として用いられる発光素子の内部構成例を示す断面図である。発光素子６１は、基板６１０と、基板６１０に配設された複数のリード板６１１と、リード板６１１に実装された素子本体６１３とを有する。さらに発光素子６１は、素子本体６１３とリード板６１１とを電気接続するボンディングワイヤ６１４と、反射部材６１５とを有する。さらに発光素子６１は、反射部材６１５の反射面６１６と素子本体６１３とを被覆するように配された封止樹脂６１７とを有する。
【０００４】
ＬＥＤ照明装置１ｘの駆動時には、発光素子６１からの出射光が外部に出射される。これにより発光素子６１からの出射光が照明光として利用される。
【先行技術文献】
【特許文献】
【０００５】
【特許文献１】特開２００６−１２７５５号公報
【発明の概要】
【発明が解決しようとする課題】
【０００６】
ＬＥＤ照明装置では、発光素子が良好な発光効率を有することが要求されている。しかしながら以下の課題が存在する。
発光素子６１の封止樹脂６１７は若干の空気を通す性質がある。従って照明部４ｘの外部から空気が発光素子６１付近まで侵入すると、空気はさらに封止樹脂６１７の内部に侵入する。この場合、空気は最終的に反射部材６１５の反射面６１６に到達する。空気には二酸化硫黄（ＳＯ2）等の微量の硫黄化合物が含まれている。ここで反射面６１６が銀を含む材料で構成されている場合、硫黄が反射面６１６の銀と反応しうる。この反応が進行すると、銀化合物の生成により反射面６１６が劣化（黒化）する。これにより反射部材６１５の反射特性が低下する。結果として、発光素子６１の発光効率の低下を招く場合がある。
【０００７】
また硫黄化合物の他、空気中に含まれる窒素化合物等の成分によっても反射面６１６が不要な反応を生じうる。このため、上記と同様に発光素子６１の発光効率の低下を招くおそれがある。
本発明は、空気中の成分による発光素子の発光効率の低下を抑制することにより、長期にわたり発光素子の発光効率を良好に維持することが可能な照明装置の提供を目的とする。
【課題を解決するための手段】
【０００８】
上記課題を解決するため、本発明の一態様に係る発明は、発光素子が実装されてなる実装基板と、前記実装基板を収納する収納ケースとを有する照明装置であって、前記収納ケース内の前記発光素子の雰囲気と前記収納ケース外の雰囲気との連通経路を閉塞する封止部材を有することにより、前記収納ケース内の前記発光素子の雰囲気が気密保持されている構成とする。
【０００９】
ここで本発明の別の態様として、前記発光素子は、素子本体と、前記素子本体を被覆するように配された封止樹脂とを有し、前記封止部材は、硫黄化合物及び窒素化合物の少なくともいずれかに対し、前記封止樹脂よりも高い封止性を有する構成とすることもできる。
また本発明の別の態様として、前記発光素子は、銀を含んでなる反射面を備え且つ前記素子本体からの発光を反射するための反射部材を有し、前記封止樹脂が前記反射面を被覆するように配されている構成とすることもできる。
【００１０】
また本発明の別の態様として、前記収納ケース内に収納されるとともに前記実装基板の表面に沿って配置され、前記発光素子の出射光を導光する導光板を有し、前記導光板は、主面部と、前記主面部を囲繞する周縁部とを有し、前記収納ケースは、前記導光板の前記周縁部を被覆し、前記封止部材は、前記導光板の前記周縁部とこれに対向する前記収納ケースとの間を気密保持するように配された第１封止部材を含む構成とすることもできる。
【００１１】
また本発明の別の態様として、前記導光板は円盤状であり、前記導光板の前記周縁部は、前記実装基板との対向面と反対側の面において厚みが縁辺に向かって減少する断面形状を有し、前記第１封止部材は、前記周縁部の全周にわたり配された環状部材である構成とすることもできる。
また本発明の別の態様として、前記第１の封止部材はパッキンまたはガスケットのいずれかである構成とすることもできる。
【００１２】
また本発明の別の態様として、前記第１の封止部材は充填材料である構成とすることもできる。
また本発明の別の態様として、前記収納ケースは、前記実装基板の厚み方向において互いに組み合わされた第１のケース部材と第２のケース部材とを有し、
前記封止部材は、前記第１のケース部材と前記第２のケース部材との当接部分を気密保持するように配された第２封止部材を含む構成とすることもできる。
【００１３】
また本発明の別の態様として、前記第１ケース部材は放熱板を兼ね、前記第２ケース部材は前記導光板の前記周縁部を被覆する領域を有する構成とすることもできる。
また本発明の別の態様として、前記第２封止部材はパッキンまたはガスケットのいずれかである構成とすることもできる。
また本発明の別の態様として、前記第２封止部材は充填材料である構成とすることもできる。
【００１４】
また本発明の別の態様として、前記実装基板は外部に向けて接続された配線を有し、前記収納ケースは前記配線を外部延出させる露出部を有し、前記封止部材は前記露出部と前記配線との間を気密保持するように配された第３封止部材を含む構成とすることもできる。
また本発明の別の態様として、前記第３封止部材は充填材料からなる構成とすることもできる。
【００１５】
また本発明の別の態様として、前記充填材料は、熱硬化性樹脂材料、エネルギー線硬化性樹脂材料、シリコーン樹脂材料、エポキシ樹脂材料、エラストマー材料の少なくともいずれかを含んでなる構成とすることもできる。
また本発明の別の態様として、前記収納ケース内に収納されるとともに前記実装基板の表面に沿って配置され、前記発光素子の出射光を導光する導光板と、前記導光板の表面に積層され、前記収納ケースと前記導光板との間に介設された拡散板とを有し、前記拡散板はエラストマー材料で構成され且つ前記導光板と前記外装ケースとに密着していることにより、前記導光板と前記外装ケースとの間が気密に保たれている構成とすることもできる。
【００１６】
また本発明の別の態様として、前記収納ケースを収納する被覆部材と、台座部と、前記台座部に立設され且つ前記被覆部材を支持するアーム部とを有する構成とすることもできる。
【発明の効果】
【００１７】
本発明の一態様に係る照明装置は、収納ケース内の発光素子の雰囲気と収納ケース外の雰囲気との連通経路を閉塞する封止部材を有する。これにより、収納ケース内の発光素子の雰囲気が収納ケース外の外気と接触するのが回避されている。
従って、たとえ発光素子が銀を含む材料からなる反射面を備える場合でも、収納ケース外の空気が連通経路を通じて収納ケース内における封止樹脂中の反射面に到達して反射面を劣化させるのを防止できる。これにより、空気中の成分による発光素子の発光効率の低下を抑制できる。従って、長期にわたり優れた発光効率を良好に維持することが可能な照明装置を提供できる。
【図面の簡単な説明】
【００１８】
【図１】実施の形態１に係るＬＥＤ照明装置１の外観構成図である。
【図２】照明部４の内部構成を示す展開図である。
【図３】照明ユニット４５の内部構成を示す展開図である。
【図４】照明部４の内部構成を示す断面図（図１のＡ−Ａ矢視断面図）である。
【図５】実施の形態２に係るＬＥＤ照明装置における照明部４Ａの外観構成図である。
【図６】照明ユニット４５Ａの内部構成を示す展開図である。
【図７】照明部４Ａの内部構成を示す断面図である。
【図８】従来のＬＥＤ照明装置１ｘの外観構成図である。
【図９】発光素子６１の内部構成を示す断面図である。
【発明を実施するための形態】
【００１９】
以下、本発明の各実施の形態について説明する。
＜実施の形態１＞
実施の形態１のＬＥＤ照明装置１（以下、「装置１」と称する。）について、図１〜図４を用いて説明する。図１は装置１の外観構成図である。図２は照明部４の展開図である。図３は照明ユニット４５の内部構成を示す展開図である。図４は照明部４の内部構成を示す断面図（図１のＡ−Ａ矢視断面図）である。
【００２０】
図１に示すように、装置１は、台座部２と、アーム部３と、照明部４とを有する。
次に装置１の各構成要素を説明する。
［台座部２］
台座部２は装置１を机上等に安定して載置する手段として用いられる。台座部２は、ここでは円環状の外観形状として構成している。台座部２の外装は樹脂の射出成型品で構成される。台座部２の内部には装置１を載置した際の安定性を確保するため、必要十分量の錘が内蔵されている。
［アーム部３］
アーム部３は、照明部４の被覆部材（第１被覆部材４０及び第２被覆部材４１）を支持する手段として用いられる（図１、図２）。また、照明部４の位置を調節する手段としても用いられる。アーム部３は台座部２に立設されている。アーム部３は、台座部２側から第１アーム部材３ａと、第２アーム部材３ｂとを備える。またアーム部３は、連結部３ｄ、３ｅ、３ｆを備える。アーム部３は台座部２の外装は台座部２と同様に樹脂の射出成型品で構成される。
【００２１】
第１アーム部材３ａは、下方の一端側に設けられた連結部３ｄで軸支された状態で台座部２に連結される。また、第１アーム部材３ａは他端に設けられた連結部３ｅで軸支された状態で第２アーム部材３ｂと連結される。各連結部３ｄ、３ｅはいずれも一定のトルクで開閉するヒンジ構造を有する。従って、例えばユーザが第２アーム部材３ｂを手元に引き寄せると、これに応じて第１アーム部材３ａ及び第２アーム部材３ｂの間の角度が開く。さらに、台座部２及び第１アーム部材３ａの間の角度が開く。これによりアーム部３がユーザ側に伸長する。
【００２２】
第１アーム部材３ａの正面側には操作部３ｃが配される。操作部３ｃは例えば静電容量方式で作動する。ユーザが操作部３ｃに触れる度に、照明部４のオン／オフ操作が行える。また、ユーザが操作部３ｃ上に指をスライドさせることで、照明部４の調光を行うことができる。
尚、図示しないが、操作部３ｃには外部より不図示のケーブルが接続される。このケーブルを介し、操作部３ｃと照明部４とに商用電源からの電力供給がなされる。
【００２３】
連結部３ｆは第２アーム部材３ｂの下面側に設けられる（図４）。連結部３ｆはボールジョイント構造を有する。連結部３ｆは第２アーム部材３ｂから照明部４を垂下する手段として用いられる（図４）。ボールジョイント構造を有する連結部３ｆの採用により、ユーザが照明部４を操作すると、水平（ＸＹ平面）方向と交差する全方向に照明部４の角度調節を行うことができる。
［照明部４］
照明部４は装置１における発光部として機能する。照明部４は、全体的な内部構造としては図２に示すように、一対の被覆部材（第１被覆部材４０及び第２被覆部材４１）と、その間に配された照明ユニット４５とを有する。装置１では、照明部４は一例として円盤状に構成している。
【００２４】
第１被覆部材４０及び第２被覆部材４１は、それぞれＡＢＳ（アクリルニトリルブチレンスチレン共重合体）樹脂等の樹脂材料を用いた射出成型品として構成される。
第１被覆部材４０の内面には、連結部３ｆを所定の回転トルクで保持するための固定板４３と、照明ユニット４５を位置合わせするための複数のリブ４４が設けられる。
第２被覆部材４１は、全体的に傘状に形成される。第２被覆部材４１の中央に、照明ユニット４５の拡散板９の径に合わせた開口４２が設けられる。
【００２５】
照明ユニット４５は、外観的には互いに積層された放熱板５と、円環状の前面カバー１０とを有する。前面カバー１０の開口１０２からは拡散板９が外部露出される。拡散板９は、第２被覆部材４１の開口４２を通して外部露出される。
図２に示すように、照明ユニット４５には内部よりコネクタ６２と配線６３を外部露出させるための露出部（切り欠き）１０４が設けられる。露出部１４のサイズは配線６３を外部露出可能な最小のサイズが望ましい。配線６３と露出部１０４との間には、照明ユニット４５の内部を気密保持するための第３封止部材Ｓ１が充填されている。第３封止部材Ｓ１は、例えば熱硬化性樹脂材料、エネルギー線硬化性樹脂材料、シリコーン樹脂材料、エポキシ樹脂材料、エラストマー材料の少なくともいずれかを含む充填材料で構成される。エネルギー線硬化樹脂材料としては、例えば紫外線硬化樹脂材料が挙げられる。充填材料は公知材料を用いることができる。しかしながら、第３封止部材Ｓ１は、発光素子６１の封止樹脂６１７は、硫黄化合物や窒素化合物に対して高い封止性を有するように構成することが好適である。
【００２６】
照明ユニット４５は、内部構成としては図３に示すように、放熱板５と、ＬＥＤ実装基板６と、拡散反射シート７と、導光板８と、拡散板９と、前面カバー１０と、第１封止部材Ｓ３と、第２封止部材Ｓ２とを有する。照明ユニット４５は、これらの構成要素を同順に重ね、前面カバー１０の上から複数の雄ネジＢ１〜Ｂ８を放熱板５の雌ネジ５２Ａ〜５２Ｈのそれぞれに螺合して構成される。
（ｉ）放熱板５
放熱板５は、発光素子６１の駆動熱を放熱する手段として配される。放熱板５は鉄やアルミニウム等の熱容量に優れる金属材料を用いて構成される。放熱板５の外観構成としては、一方の面の中央に配された凸部５１と、凸部５１の周囲に配された平坦部５０とを有する。凸部５１は、ＬＥＤ実装基板６を挿通し且つ拡散反射シート７を載置するために用いられる。平坦部５０は、ＬＥＤ実装基板６を載置するために用いられる。平坦部５０の周囲には雌ネジ５２Ａ〜５２Ｈが形成されている（図３）。
【００２７】
尚、放熱板５は、照明ユニット４５において前面カバー１０と対をなすカバー部材（背面カバー）としても用いられる。すなわち、前面カバー１０を第１ケース部材とし、放熱板５を第２のケース部材とする収納ケースが構成される。この収納ケースの内部空間に、ＬＥＤ実装基板６、拡散反射シート７、導光板８、拡散板９等が収納されている。収納ケースは、ＬＥＤ実装基板６及び導光板８の積層（Ｚ）方向において互いに組み合わされる。
（ｉｉ）ＬＥＤ実装基板６
ＬＥＤ実装基板６は、円環状の基板本体６０と、発光素子６１と、配線６３と、各発光素子６１と配線６３とを電気接続するためのコネクタ６２とを有する（図３）。
【００２８】
基板本体６０は、一例として主にガラスコンポジット材料を用いて構成される。基板本体６０は、少なくとも上面に発光素子６１を電気接続するための配線パターンを有する。基板本体６０の下面は放熱板５の平坦部５０の表面と熱結合するように配される（図３、図４）。
尚、基板本体６０は、ポリイミド樹脂等からなる公知のフレキシブル基板を用いて構成することもできる。
【００２９】
発光素子６１は装置１における照明用光源である。発光素子６１は、具体的にはＬＥＤ素子（ＬＥＤパッケージ）である。すなわち、発光素子６１としてのＬＥＤ素子は図９の断面図に示すように、基板６１０と、基板６１０に配設された複数のリード板６１１と、リード板６１１に実装された素子本体６１３とを有する。さらに素子本体６１３とリード板６１１とを電気接続するボンディングワイヤ６１４と、反射部材６１５とを有する。さらに発光素子６１は、反射部材６１５の反射面６１６と素子本体６１３とを被覆する封止樹脂６１７とを有する。反射面６１６は銀（Ａｇ）を含む材料を用いて高い光反射特性を有するように構成される。
【００３０】
発光素子６１は、基板本体６０の上面において一定間隔毎に複数個（ここでは１８個）にわたり実装される。ＬＥＤ実装基板６をＺ方向に沿って平面視する際、発光素子６１の各実装位置は、導光板８の周縁部８１と重なる位置に調整されている（図４）。尚、図３には図示しないが、基板本体６０の表面には抵抗素子等、その他の電気素子も併せて実装される。
【００３１】
コネクタ６２はＰＰ（ポリプロピレン）やＰＥ（ポリエチレン）等の樹脂材料を用いた射出成形品で構成される。コネクタ６２は内部に不図示の導電部材を内蔵する。コネクタ６２は導電部材において、配線６３と基板本体６０の配線パターンとを電気接続するために用いられる。
配線６３は、軸芯のリード線を絶縁部材で被覆して構成される。配線６３は基板本体６０の配線パターンと電気接続される。さらに配線６３は、連結部３ｆと、第１アーム部材３ａの各内部に挿通された状態で、操作部３ｃに電気接続されている。
【００３２】
尚、コネクタ６２は必須ではない。配線６３を配線パターンに直接電気接続することもできる。
（ｉｉｉ）拡散反射シート７
拡散反射シート７は、導光板８の裏面で乱反射された発光素子６１の発光を、前面カバー１０の開口１０２を通して外部に反射させる手段として用いられる。拡散反射シート７は、例えばＰＥＴ（ポリエチレンテレフタレート）等の樹脂材料に白色顔料を混合し、シート状に形成して構成される。外観構成としては、平板状の本体部７０と、発光素子６１の位置に合わせて形成された孔７１と、コネクタ６２の位置に合わせて形成された切欠部７２とを有する（図３）。拡散反射シート７の孔７１には発光素子６１が挿通される。
【００３３】
尚、発光素子６１の光利用効率の低下を防ぐため、拡散反射シート７の厚みは基板本体６０上における発光素子６１の高さ（Ｚ方向高さ）より高くならないように留意する。
また拡散反射シート７には、ＬＥＤ実装基板６に実装された発光素子６１以外の電気素子を挿通させるため、孔７１とは別の孔を設けることもできる。
（ｉｖ）導光板８
導光板８は、駆動時の発光素子６１の発光を拡散させ、且つ、効率よく外部に出射させる手段として用いられる。導光板８は、一定の屈折率を有する樹脂材料、例えばＰＣ（ポリカーボネート）やアクリル樹脂、ＰＭＭＡ（ポリメチルメタクリル）樹脂等に拡散材を分散させて構成される。外観構成としては、平坦な主面部８０と、主面部８０を囲繞する周縁部８１とを有する（図３、図４）。導光板８は、拡散反射シート７を介し、ＬＥＤ実装基板６の表面に沿って配置される。
【００３４】
主面部８０の下面（拡散反射シート７との対向面）は巨視的に見ると、一様に平坦に形成されている。一方、主面部８０の下面を微視的に見ると、例えば印刷法等に基づき、微細な凹凸処理がなされている。これにより主面部８０の下面には凹凸表面が形成される。主面部８０の凹凸表面は発光素子６１からの発光を広く乱反射して拡散させる。そして、この乱反射された拡散光を拡散反射シート７側に反射させる手段として用いられる。
【００３５】
周縁部８１は、導光板８の全周にわたって存在する。導光板８の上面側において、周縁部８１は、厚みが縁辺に向かって減少する放物線状断面の形状を有する（図３、図４）。これにより周縁部８１はレンズ構造を有する。導光板８を平面視する際、発光素子６１は周縁部８１と重なる位置に配置される。発光素子６１の上方に周縁部８１を配置することで、導光板８を平面視する際に周縁部８１が有するレンズ効果により、発光素子６１の実装位置が視認しにくくなる。これにより装置１の駆動時において、発光素子６１の実装位置で高輝度の発光が生じる輝度ムラを抑えることができる。
【００３６】
尚、ここで言う「半放物線状」とは数学的に厳密な形状のみを指さない。ここで言う「半放物線状」とは、少なくとも厚みが縁辺に向かって減少する曲面形状を含むものとする。
尚、導光板８の厚みを増加させると、周縁部８１の曲率を小さくすることができる。しかしながら、樹脂材料を用いて射出成形により導光板８を構成する場合、ヒケが発生しうる点に留意する。
（ｖ）拡散板９
拡散板９は、導光板８側より入射される発光素子６１の発光をさらに均一に拡散させて面発光とするために配される。拡散板９は、例えばＰＣ等の樹脂材料で構成される。拡散板９は発光素子６１の発光色を調節する目的で、例えば青色に着色される。これにより発光素子６１の発光成分より黄色成分が除去される。
（ｖｉ）前面カバー１０
前面カバー１０は、放熱板５との間で、ＬＥＤ実装基板６、拡散反射シート７、導光板８、拡散板９を同順に積層した状態で保持する手段として用いられる。また前面カバー１０は、導光板８の周縁部８１を被覆する。これにより周縁部８１直下に存在する発光素子６１が外部より視認されないように調整される（図４）。前面カバー１０は、外観構成としては円環状の平板部１１０と、その内側に存在する開口１０２とを有する。平板部１１０の表面には、雄ネジＢ１〜Ｂ８を挿通させるネジ孔１０１Ａ〜１０１Ｈが設けられている（図３）。
（ｖｉｉ）第１封止部材Ｓ３
第１封止部材Ｓ３は、周縁部８１の表面上に設けられる。第１封止部材Ｓ３は、具体的には第３封止部材Ｓ１と同様の充填材料で構成される。照明ユニット４５において、第１封止部材Ｓ３は、周縁部８１とこれに対向する収納ケース（前面カバー１０）との間を気密保持するように配される。
（ｖｉｉｉ）第２封止部材Ｓ２
第２封止部材Ｓ２は、前面カバー１０と対向する放熱板５の周縁部５３の上面に設けられる。第２封止部材Ｓ２は、具体的には第３封止部材Ｓ１と同様の充填材料で構成される。第２封止部材Ｓ２は、前面カバー１０と放熱板５の当接部分を気密保持するように配される。
（装置１の効果について）
以上の構成を有する装置１は、照明ユニット４５の収納ケース（前面カバー１０及び放熱板５）内における発光素子６１の雰囲気と収納ケース外の雰囲気との連通経路を閉塞する封止部材として、第１封止部材Ｓ３と、第２封止部材Ｓ２と、第３封止部材Ｓ１とを有する。これにより収納ケース内において、発光素子６１の雰囲気が照明ユニット４５外の外気と接触するのが回避されている。結果として、収納ケース内の発光素子６１の雰囲気は気密保持されている。
【００３７】
従って、例えば発光素子６１が銀を含む材料からなる反射面６１６を持つ反射部材６１５を備える場合でも（図９）、照明ユニット４５外の外気が封止樹脂６１７内の反射部材６１５の反射面６１６まで侵入して反射面６１６を劣化させるのを防止できる。これにより空気中に硫黄化合物や窒素化合物等が含まれる場合でも、反射面６１６が劣化するのを防止できる。結果として、発光素子６１の発光効率を良好に維持できる。
【００３８】
尚、発光素子６１が点灯すると照明ユニット４５内の空気が膨張する。また、発光素子６１が消灯すると照明ユニット４５内の空気が収縮する。この発光素子６１の消灯時に照明ユニット４５の内部が外気よりも負圧の状態になっても、封止部材Ｓ１〜Ｓ３を配設していることで、照明ユニット４５の内部に外気が入り込むのを防止できる。
これにより長期にわたり優れた発光効率を期待することが可能な照明装置を提供できる。
【００３９】
尚、発明者らの行った実験によれば、実施の形態１の装置１を駆動したところ、封止部材Ｓ１〜Ｓ３を持たない比較例に比べて寿命時間が約４倍であった。この実験結果より、装置１の優位性を確認することができた。すなわち封止部材Ｓ１〜Ｓ３を用いることで、発光素子６１の寿命特性を従来に比べて約４倍程度以上伸ばすことが可能であると言える。
【００４０】
以下、本発明の別の実施の形態について、実施の形態１との差異を中心に述べる。
＜実施の形態２＞
図５は実施の形態２に係るＬＥＤ照明装置の照明ユニット４５Ａの外観構成図である。図６は照明ユニット４５Ａの内部構成を示す展開図である。図７は照明部４Ａの内部構成を示す断面図である。
【００４１】
実施の形態１と異なる点として、第１封止部材１１、第２封止部材１２はそれぞれ柔軟材料、例えばエラストマー材料からなるパッキンで構成される。
図６に示すように、放熱板５Ａは、幅広の平坦な周縁部５３Ａを有するように構成される。
ＬＥＤ実装基板６Ａは、その厚み（Ｚ）方向に配線６３が延出されるように形成されたコネクタ６２Ａを備える。
【００４２】
拡散反射シート７Ａは、Ｚ方向に延設された配線６３を挿通させる孔７２を有する。
前面カバー１０Ａは、配線６３を外部露出することが可能な最小限のサイズの露出部１０４Ａを有する。配線６３と露出部１０４Ａとの間の間隙は、第３封止部材Ｓ４で封止される（図５）。
第２封止部材１２は、周縁部５３Ａの上面の全周にわたり載置される。尚、第２封止部材１２による気密効果を確保するため、雌ネジ５２Ａ〜５２Ｈは周縁部５３Ａにおいて、第２封止部材１２が載置される領域よりも外側の領域に配置される（図５）。また、前面カバー１０Ａのネジ孔１０１Ａ〜１０１Ｈも、前面カバー１０Ａにおいて、第２封止部材１２と当接する領域よりも外側の領域に配置される（図５）。
【００４３】
以上の構成を有する実施の形態２においても、実施の形態１と同様の効果を期待できる。すなわち図７に示すように、第１封止部材１１は周縁部８１とこれに対向する前面カバー１０Ａとの間の間隙を閉塞する。これにより周縁部８１とこれに対向する前面カバー１０Ａとの間が気密保持される。また、第２封止部材１２は前面カバー１０Ａと放熱板５Ａとの当接部分の間隙を閉塞する。これにより前面カバー１０Ａと放熱板５Ａとの当接部分との間が気密保持される。さらに第３封止部材Ｓ４がＳ１と同様に配線６３と露出部１０４Ａとの間の間隙を閉塞する（図５）。これにより配線６３と露出部１０４Ａとの間が気密保持される。従って、照明ユニット４５Ａの内部において、発光素子６１の雰囲気は気密保持される。結果として、照明ユニット４５Ａの外気中の空気に含まれる硫黄化合物や窒素化合物が反射面６１６と反応して劣化させるのを抑制することができる。
【００４４】
尚、実施の形態２では、予め用意したパッキンを用いて第１封止部材１１、第２封止部材１２を構成することができる。従ってその分、生産コストの低減を期待することもできる。
また、周縁部５３Ａの表面に沿って、第２封止部材１２が部分的に嵌り込む溝を形成してもよい。これにより製造工程において、周縁部５３Ａ上における第２封止部材１２の位置合わせを容易にすることができる。また、装置の使用時に装置に衝撃が加わった際でも、第２封止部材１２の位置ずれ防止効果を期待することができる。
【００４５】
また、第１封止部材１１、第２封止部材１２は、図６に示すように、それぞれ１個のみ用いる場合に限定されない。すなわち第１封止部材１１、第２封止部材１２の少なくともいずれかについて、径が異なるサイズの物を複数個用意し、互いに間隔をおいて多重に配置することもできる。これにより収納ケース内の気密保持を一層確実にすることができる。
＜その他の事項＞
上記各実施の形態では、円盤状の照明部４を示したが、照明部４は円盤状に限定されず、例えば矩形状（長方形等）や多角形状、長楕円状であってもよい。この場合、導光板８の形状も円盤状に限定されず、照明部４の形状に合わせて矩形状や多角形状としてもよい。また、ベース部２の形状も限定されず、例えば円筒形状、多角筒形状、円柱状、多角柱状、円錐状、多角錐状、ドーム状やハート側等の不定型状のいずれかであってもよい。
【００４６】
アーム部３は図１に示した連結部３ｄ、３ｅ、３ｆを用いる構成に限定されない。例えばアーム部３は図８のアーム部３Ｘのように柱状または軸状の１部材からなる構成とすることもできる。
実施の形態２では、第１封止部材１１及び第２封止部材１２としてパッキンを用いる例を示した。実施の形態２ではこれらの部材をパッキンに限定しない。例えば第１封止部材１１及び第２封止部材１２の少なくとも一方をガスケットとして構成することもできる。ガスケットの一例として、シールテープやＯリングを例示できる。Ｏリングの材料としては公知のエラストマー材料や樹脂材料を用いることができる。例えばニトリル系ゴム、シリコーン系ゴム、アクリル系ゴム、ポリテトラフルオロエチレン（ＰＴＦＥ）等のフッ素系ゴム、スチロールゴム、エチレンプロピレン（ＥＰ）ゴム、スチレンブタジエン（ＳＢ）ゴム等を挙げることができる。シールテープの材料としては、ポリテトラフルオロエチレン等の柔軟な樹脂材料を挙げることができる。
【００４７】
拡散板９はＰＣ等の樹脂材料以外で構成することもできる。例えば拡散板９を弾力性のあるエラストマー材料を用いて構成することができる。この場合、第１封止部材Ｓ３、１１は設けない（図３、図６）。拡散板９を導光板８の周縁部８１とこれに対向する外装ケース（前面カバー１０の裏面）とに密着するように配設する。このような構成によれば、第１封止部材Ｓ３、１１を用いなくても、導光板８と外装ケース（前面カバー１０）との間を気密保持することができる。
【００４８】
上記各実施の形態では、前面カバーと放熱板との固定にネジを用いた。本発明はこの方法に限定されない。例えば前面カバーと放熱板とを接着部材を用いて固定することもできる。この場合、接着部材が封止部材を兼ねる効果も期待することができる。
上記各実施の形態では、デスクスタンド型のＬＥＤ照明装置を示した。しかしながら、本発明の各態様のＬＥＤ照明装置はデスクスタンド型に限定されない。例えばシーリング型やダウンライト型等のＬＥＤ照明装置とすることもできる。
【００４９】
実施の形態１の装置１では、照明ユニット４５において、放熱板５と前面カバー１０との間、拡散板９と前面カバー１０との間、配線６３と露出部１０４との間に封止部材Ｓ１、Ｓ２、Ｓ３を配設することで、照明ユニット４５の内部を気密保持した。本発明では上記以外にも照明ユニットが外部雰囲気との連通経路を有する場合、その連通経路を閉塞するように封止部材を設ける。これにより、照明ユニット４５内における発光素子６１の雰囲気を適切に気密保持することができる。
【００５０】
本発明で用いる発光素子はＬＥＤ素子に限定されない。本発明の発光素子としては、その他の発光素子を用いることも可能である。例えば、蛍光灯、白熱電球、有機ＥＬ（Electro―Luminescence）素子、ＬＤ（レーザダイオード；Laser Diode）等を単独、或いは複数組み合わせて用いてもよい。
【符号の説明】
【００５１】
Ｓ１、Ｓ４    第３封止部材（充填樹脂）
Ｓ２    第２封止部材（充填樹脂）
Ｓ３    第１封止部材（充填樹脂）
１、１ｘ    ＬＥＤ照明装置
２、２ｘ    台座部
３、３ｘ    アーム部
４、４ｘ    照明部
５、５Ａ    放熱板
６、６Ａ    ＬＥＤ実装基板
７、７Ａ    拡散反射シート
８、    導光板
９    拡散板
１０、１０Ａ    前面カバー
１１    第１封止部材（パッキン）
１２    第２封止部材（パッキン）
４０    第１被覆部材
４１    第２被覆部材
４２    開口
４５、４５Ａ    照明ユニット
５０    平坦部
５１    凸部
６０    基板本体
６１    発光素子（ＬＥＤパッケージ）
６２、６２Ａ    コネクタ
７１    孔
８０    主面部
８１    周縁部
１０４、１０４Ａ    露出部
６１３    素子本体
６１５    反射部材
６１６    反射面
【図１】
2014086403.tif 000003
【図２】
2014086403.tif 000004
【図３】
2014086403.tif 000005
【図４】
2014086403.tif 000006
【図５】
2014086403.tif 000007
【図６】
2014086403.tif 000008
【図７】
2014086403.tif 000009
【図８】
2014086403.tif 000010
【図９】
2014086403.tif 000011